(57)【特許請求の範囲】
【請求項１】
遊技機本体と、その前面側に当該遊技機本体に対して開閉される第１開閉部材と、前記遊技機本体又は第１開閉部材に対して開閉される第２開閉部材とを備え、前記各開閉部材の施錠を行う施錠装置を設けた遊技機において、
前記施錠装置は、
基枠と、
その基枠に設けられ、外部操作手段の一方への操作に連動して一方向へ移動し、外部操作手段の他方への操作に連動して他方向へ移動する１つの移動部材と、
前記基枠に設けられ、前記第１開閉部材の施錠位置と解錠位置とに移動可能でありかつ施錠方向へ付勢された複数の第１施錠部材と、
前記基枠に設けられ、前記第２開閉部材の施錠位置と解錠位置とに移動可能でありかつ施錠方向へ付勢された複数の第２施錠部材と
を備え、
前記移動部材の前記一方向への移動に連動して前記各第１施錠部材が解錠位置へ移動し、前記移動部材が前記他方向へ移動する場合には前記各第１施錠部材はそれぞれ独立して前記付勢力によって施錠位置に保持されるように構成し、
前記移動部材の前記他方向への移動に連動して前記各第２施錠部材が解錠位置へ移動し、前記移動部材が前記一方向へ移動する場合には前記各第２施錠部材はそれぞれ独立して前記付勢力によって施錠位置に保持されるように構成したことを特徴とする遊技機。
【請求項２】
前記各開閉部材は一側を開閉中心とし、その他側に前記施錠装置を設け、該他側に沿って延びるように前記移動部材を長尺状に形成し、該移動部材をその長手方向に沿って移動するように構成した請求項１に記載の遊技機。
【発明の詳細な説明】
【０００１】
【発明の属する技術分野】
本発明は、開閉部材及びその開閉部材を施錠するための施錠装置を備えた遊技機に関する。
【０００２】
【従来の技術】
一般にパチンコ機等の遊技機では、内部を日常的に保守点検する必要から、遊技機の前面には開閉部材としての前面枠（前面扉ともいう）が開閉可能に設けられ、店員以外の者が無断で前面枠を開放できないようにするために、遊技機には施錠装置が設けられている。かかる施錠装置としては、専用の鍵を用いて操作されるシリンダ錠と、遊技機に設けられた上下一対の被係止部に対しそれぞれ係脱可能に設けられた上側及び下側の鉤部材と、専用鍵によるシリンダ錠の解錠操作に応じて前記上側及び下側鉤部材を作動させる作動機構とを備えたものが知られている。この施錠装置によれば、施錠状態では上下両鉤部材がそれぞれ対応する被係止部に係合することで前面枠が開放不能となる。他方、専用鍵でシリンダ錠を解錠操作することで、作動機構を介して上下両鉤部材が被係止部から同時に離脱し、前面枠が開放可能となる。
【０００３】
【発明が解決しようとする課題】
本発明の目的は、施錠装置の不正解錠対策を施した遊技機を提供することにある。
【０００４】
【課題を解決するための手段】
上記の目的を達成するために、本発明では、遊技機本体と、その前面側に当該遊技機本体に対して開閉される第１開閉部材と、前記遊技機本体又は第１開閉部材に対して開閉される第２開閉部材とを備え、前記各開閉部材の施錠を行う施錠装置を設けた遊技機において、
前記施錠装置は、
基枠と、
その基枠に設けられ、外部操作手段の一方への操作に連動して一方向へ移動し、外部操作手段の他方への操作に連動して他方向へ移動する１つの移動部材と、
前記基枠に設けられ、前記第１開閉部材の施錠位置と解錠位置とに移動可能でありかつ施錠方向へ付勢された複数の第１施錠部材と、
前記基枠に設けられ、前記第２開閉部材の施錠位置と解錠位置とに移動可能でありかつ施錠方向へ付勢された複数の第２施錠部材と
を備え、
前記移動部材の前記一方向への移動に連動して前記各第１施錠部材が解錠位置へ移動し、前記移動部材が前記他方向へ移動する場合には前記各第１施錠部材はそれぞれ独立して前記付勢力によって施錠位置に保持されるように構成し、
前記移動部材の前記他方向への移動に連動して前記各第２施錠部材が解錠位置へ移動し、前記移動部材が前記一方向へ移動する場合には前記各第２施錠部材はそれぞれ独立して前記付勢力によって施錠位置に保持されるように構成したことを特徴とする。
【０００５】
この場合、前記各開閉部材は一側を開閉中心とし、その他側に前記施錠装置を設け、該他側に沿って延びるように前記移動部材を長尺状に形成し、該移動部材をその長手方向に沿って移動するように構成することが好ましい。
【０００６】
【発明の実施の形態】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【０００７】
手段１．開閉部材及びその開閉部材を施錠する施錠装置を備えた遊技機において、前記施錠装置は、枠体と、遊技機に設けられた被係止部に対し係合及び離脱することで前記開閉部材の施錠及び解錠に関与する鉤部材とを備え、前記枠体には、鉤部材を取り外し可能な状態で支持するための支承部が形成されていることを特徴とする遊技機。
【０００８】
手段１によれば、枠体に形成された支承部には、遊技機に設けられた被係止部に対し係合及び離脱することで開閉部材の施錠及び解錠に関与するための鉤部材が取り外し可能な状態で支持される。枠体に支持される鉤部材が着脱可能となることで、必要時に鉤部材を取り付け又は取り外すことができ、枠体に支持される鉤部材の数を自由に変更することが可能となる。従って本発明によれば、一つの基本設計に基づいて効率的に部品の共通化を図りながら、鉤部材の数が異なる多種類の施錠装置を供給でき、従来以上に製造コストの削減や生産性の向上を図ることができる。加えて、遊技機の組立てや製品検査の際に作業の邪魔になることがある鉤部材を一時的に取り外せるようにしたいという生産現場からの要望を満たすことができる。
【０００９】
なお、前記支承部に取り外し可能な状態で支持する鉤部材は、その施錠装置に予め備え付けられている鉤部材であってもよいし、事後的に付け足される追加の鉤部材であってもよい。
【００１０】
手段２．前記枠体の支承部と、その支承部に支持される鉤部材の一部は、前記支承部による当該鉤部材の保持および前記支承部からの当該鉤部材の離脱を許容するような相互係合関係を構築するように形成されていることを特徴とする手段１に記載の遊技機。
【００１１】
手段２によれば、枠体の支承部と鉤部材の一部との相互係合関係に基づき、支承部による鉤部材の保持のみならず、支承部からの鉤部材の離脱が許容されて、枠体の支承部に鉤部材が取り外し可能な状態で支持される。なお、枠体の支承部と鉤部材の一部との間の相互係合関係としては、いずれか一方が凹部をなし、残る一方が凸部をなすような関係を例示することができる。
【００１２】
手段３．前記枠体の支承部は、当該支承部に支持される鉤部材に設けられた係合凸部を保持するための支持用凹部と、その支持用凹部に連通すると共に前記鉤部材の係合凸部を前記支持用凹部に導入及び離脱させるための着脱用開口部とから構成されることを特徴とする手段１又は２に記載の遊技機。
【００１３】
手段３によれば、鉤部材に設けられた係合凸部を着脱用開口部に導入し、その着脱用開口部を介して当該係合凸部を支持用凹部内に挿入することにより、鉤部材が支持用凹部に保持される。他方、着脱用開口部を介して鉤部材の係合凸部を支持用凹部から離脱させることにより、その鉤部材を支承部から取り外すことができる。即ち、枠体に形成された支承部を、支持用凹部と、その支持用凹部に連通する着脱用開口部とから構成することで、枠体の支承部に鉤部材を取り外し可能な状態で支持することが可能となる。
【００１４】
手段４．前記支持用凹部は枠体の長手方向に沿って延びるガイド溝であり、前記枠体の支承部に支持される鉤部材は、前記支持用凹部としてのガイド溝に沿ってスライド可能に設けられることで、対応する被係止部に係合する施錠位置と、対応する被係止部から離脱する解錠位置との間を配置切替え可能となっていることを特徴とする手段３に記載の遊技機。
【００１５】
手段４によれば、枠体の支承部を構成する支持用凹部が枠体の長手方向に沿って延びるガイド溝として提供され、且つ、鉤部材がそのガイド溝に沿ってスライド可能となっている。それ故、鉤部材がガイド溝に沿ってスライドすることで、対応する被係止部に係合する施錠位置と、対応する被係止部から離脱する解錠位置との間を配置切替え可能となり、遊技機に設けられた被係止部に対し係合及び離脱することで開閉部材の施錠及び解錠に関与するという鉤部材の機能が確保される。
【００１６】
手段５．前記枠体の支承部に支持される鉤部材の施錠位置は、前記ガイド溝内にあって前記着脱用開口部から離れた位置に設定され、該鉤部材の解錠位置は、ガイド溝内にあって前記施錠位置と前記着脱用開口部との間に設定されていることを特徴とする手段４に記載の遊技機。
【００１７】
手段５によれば、鉤部材の施錠位置及び解錠位置は、支持用凹部としてのガイド溝の範囲内にとどめられ、且つ、解錠位置は施錠位置と着脱用開口部との間に設定されている。つまり、鉤部材がガイド溝内をスライドして施錠位置と解錠位置との間を配置切替えする限りにおいて、鉤部材が着脱用開口部に到達することはなく、鉤部材が意に反して着脱用開口部から脱落することが回避される。
【００１８】
手段６．前記枠体の支承部に支持される鉤部材には、その鉤部材を解錠位置から施錠位置に向けて付勢するための付勢手段が配設されていることを特徴とする手段４又は５に記載の遊技機。
【００１９】
手段６によれば、付勢手段の作用により鉤部材は解錠位置から施錠位置に向けて付勢され、通常時には（即ち付勢手段の付勢力に抗する力が及ばない限り）、鉤部材は施錠位置に配置され、対応する被係止部に係合して開閉部材を施錠状態とする。また、上記手段４との関連で言えば、付勢手段により鉤部材が施錠位置に向けて付勢されることで、鉤部材が不意に着脱用開口部に到達することが未然防止される。
【００２０】
尚、手段６において、「前記付勢手段がバネであること」は好ましく、「前記付勢手段がコイルバネであること」は更に好ましい。
【００２１】
手段７．前記枠体の支承部に支持される鉤部材に設けられた係合凸部は、軸部とその軸部よりも径の大きな頭部とを有する係合ピンとして構成され、前記着脱用開口部は、前記係合ピンの頭部が挿通自在な大きさに設定され、前記支持用凹部としてのガイド溝は、前記係合ピン軸部の収容を許容するが係合ピン頭部の通過を許容しないような大きさ又は幅に設定されていることを特徴とする手段４，５又は６に記載の遊技機。
【００２２】
手段７によれば、支承部の一部を構成する着脱用開口部は、鉤部材の係合凸部たる係合ピンの頭部が挿通自在な大きさに設定されているため、その着脱用開口部を介して係合ピンが支承部に対し自由に抜き差し可能となり、鉤部材の枠体に対する着脱性が担保される。その一方で、支承部の一部を構成する支持用凹部としてのガイド溝は、係合ピン軸部の収容を許容するが係合ピン頭部の通過を許容しないような大きさ又は幅に設定されているため、係合ピン軸部がガイド溝内にあるときには、係合ピン頭部とガイド溝との間の大小関係により、係合ピンをガイド溝から直接に（つまり着脱用開口部を経由せずに）離脱させることができない。従って、鉤部材を枠体に装着した場合には、その鉤部材を枠体の支承部（特にガイド溝）に対して安定支持することができる。
【００２３】
手段８．前記施錠装置は更に、専用の鍵を用いて操作される錠と、前記枠体と鉤部材との間に配設されて前記錠から鉤部材への動作伝達に関与する作動部材とを備えており、前記作動部材には、前記枠体のガイド溝に対応して前記係合ピン軸部を収容可能な溝と、前記枠体の着脱用開口部に対応して係合ピン頭部を挿通自在な孔とが形成されていることを特徴とする手段７に記載の遊技機。
【００２４】
手段８によれば、錠から鉤部材への動作伝達に関与する作動部材が枠体と鉤部材との間に配設される場合でも、作動部材に、枠体のガイド溝に対応して前記係合ピン軸部を収容可能な溝と、前記枠体の着脱用開口部に対応して係合ピン頭部を挿通自在な孔とを形成することにより、当該作動部材が、前記枠体のガイド溝及び着脱用開口部の本来的機能を阻害しないようにすることができる。
【００２５】
手段９．前記施錠装置は、前記鉤部材として、第１及び第２の鉤部材のほかに第３の鉤部材を備え、その第３の鉤部材が前記枠体に形成された支承部に対し取り外し可能な状態で支持されていることを特徴とする手段１〜８のいずれかに記載の遊技機。
【００２６】
手段９によれば、枠体の支承部に第３の鉤部材を装着した場合には、当該施錠装置は三つの鉤部材を備えたタイプとなり、枠体の支承部から第３の鉤部材を取り外した場合には、当該施錠装置は二つの鉤部材を備えたタイプとなる。つまり一つの基本設計に基づいて鉤部材の数が異なる二種類の施錠装置を供給できる。また本構成によれば、全ての鉤部材で部品の共通化を図ることが容易になり、従来以上に施錠装置付き遊技機の製造コスト削減や生産性向上を図ることが可能となる。
【００２７】
なお、手段９において、「第１及び第２の鉤部材が施錠装置の両端部付近に配設された上側鉤部材及び下側鉤部材であり、第３の鉤部材が前記上側及び下側鉤部材間に配設された中央鉤部材であること」は好ましい。
【００２８】
手段１０．手段１から手段９のいずれかにおいて、前記遊技機はパチンコ機であること。中でも、パチンコ機の基本構成としては、操作ハンドルを備えており、そのハンドル操作に応じて遊技球を所定の遊技領域に発射させ、遊技球が遊技領域内の所定の位置に配置された作動口に入賞することを必要条件として表示装置における図柄の変動表示が開始すること、又、特別遊技状態発生中には遊技領域内の所定の位置に配置された入賞口が所定の態様で開放されて遊技球を入賞可能として、その入賞個数に応じた有価価値（景品球のみならず、磁気カードへの書込み等も含む）が付与されること等が挙げられる。上記パチンコ機には少なくとも、多数個の遊技球を取得できる遊技者に有利な状態である特別遊技状態（大当り状態）と、遊技球を消費する遊技者に不利な状態である通常遊技状態の二種類の遊技状態が存在する。
【００２９】
手段１１．手段１から手段９のいずれかにおいて、前記遊技機はスロットマシンであること。中でも、スロットマシンの基本構成としては、「遊技状態に応じてその遊技状態を識別させるための複数の図柄からなる図柄列を変動表示した後に図柄を確定表示する表示装置を備え、始動用操作手段（例えば操作レバー）の操作に起因して図柄の変動が開始され、停止用操作手段（例えばストップボタン）の操作に起因して或いは所定時間経過することにより図柄の変動が停止され、その停止時の確定図柄が特定図柄であることを必要条件として遊技者に有利な特別遊技状態を発生させる特別遊技状態発生手段とを備えた遊技機」となる。この場合、遊技媒体は、コイン、メダル等が代表例として挙げられる。上記遊技機には少なくとも、多数個の遊技媒体を取得できる遊技者に有利な状態である特別遊技状態（大当り状態）と、遊技媒体を消費する遊技者に不利な状態である通常遊技状態の二種類の遊技状態が存在する。
【００３０】
手段１２．手段１から手段９のいずれかにおいて、前記遊技機はパチンコ機とスロットマシンとを融合させた遊技機であること。中でも、前記融合させた遊技機の基本構成としては、「遊技状態に応じてその遊技状態を識別させるための複数の識別情報からなる図柄列を変動表示した後に図柄を確定表示する表示装置を備え、始動用操作手段（例えば操作レバー）の操作に起因して図柄の変動が開始され、停止用操作手段（例えばストップボタン）の操作に起因して或いは所定時間経過することにより図柄の変動が停止され、その停止時の確定図柄が特定図柄であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。上記遊技機には少なくとも、多数個の遊技球を取得できる遊技者に有利な状態である特別遊技状態（大当り状態）と、遊技球を消費する遊技者に不利な状態である通常遊技状態の二種類の遊技状態が存在する。
【００３１】
以下に、本発明を遊技機としてのパチンコ機に具体化した一実施形態を図面を参照して説明する。図１及び図２に示すようにパチンコ機１０は、外枠１１と、前面枠１２（内枠ともいう）と、ガラス板が嵌め込まれたガラス枠１３と、遊技盤１４とを備えている。遊技盤１４は前面枠１２の内側（裏側）に組み付けられており、前面枠１２と遊技盤１４とが一体化して前面扉を構成している。前面枠１２は外枠１１の左側に設けられた上下一対のヒンジ部１５，１５を介して当該外枠１１に対し回動可能に取り付けられ、外枠１１に対して開閉可能となっている。ガラス枠１３も上下一対の軸支部１６，１６により前面枠１２に対して開閉可能に支持されている。本実施形態では前面枠１２が開閉部材に相当する。
【００３２】
なお、前面枠１２及び遊技盤１４によって構成されるパチンコ機の正面は、その略上半部を占めるガラス枠１３で区画された遊技盤領域と、略下半部を占めると共に前面枠１２に造作された操作領域とに区分される。遊技盤領域には、表示装置、大小様々の入賞口、風車、ランプ、スピーカ、その他の遊技性を高めるための器具や装置（いずれも図示略）が設けられている。他方、操作領域には、弾発のための発射操作ハンドル１７、打球供給皿としての上受け皿１８、余剰玉受皿としての下受け皿１９、その他の器具や装置が設けられている。
【００３３】
前面枠１２の裏面の右側部には、縦長の施錠装置２０が設けられている。この施錠装置２０は、前面枠１２が閉じられたときに前面枠１２を外枠１１に係止して開放不能とするための前面枠用施解錠機構と、ガラス枠１３が閉じられたときにガラス枠１３を前面枠１２に係止して開放不能とするためのガラス枠用施解錠機構とを具備した前面枠及びガラス枠両用の施錠装置である。尚、外枠１１の右側内部には、前面枠１２の施錠に関与する被係止部として、三つの受け金具（上側受け金具１１ａ、下側受け金具１１ｂ及び中央受け金具１１ｃ）が固定されている。同様に前面枠１２及び／又はガラス枠１３には、ガラス枠１３の施錠に関与する被係止部又は被係止機構（図示略）が設けられている。
【００３４】
図３は横倒し状態の施錠装置２０を示し、図４及び図５はその施錠装置２０の上端部近傍を拡大して示す。施錠装置２０は、パチンコ機への取付時に上下方向（図３〜図５では左右方向）に延びる枠体２１を備えている。この枠体２１は、長尺な金属板をほぼ直角に曲げてアングル状（横断面Ｌ字状）に板金加工したものであり、互いに略直交する第１取付け板２２と第２取付け板２３とを有している。この枠体の第１取付け板２２に対しシリンダ錠５０を取付けると共に、第２取付け板２３に対し作動部材３０や三つの鉤部材４１Ａ，４１Ｂ，４１Ｃ等を取り付けることで施錠装置２０が構成されている。
【００３５】
作動部材３０は、枠体２１の長手方向に沿って延びる長尺な板状部材であり、第２取付け板２３に沿ってスライド可能に設けられている。作動部材３０の第２取付け板２３に沿ったスライドは、専用の鍵Ｋによるシリンダ錠５０の解錠操作に基づくものであり、この点については後ほど詳述する。
【００３６】
この作動部材３０と所定の作動連結関係を構築する三つの鉤部材として、上側（図３では右側）鉤部材４１Ａ、下側（図３では左側）鉤部材４１Ｂ及び中央鉤部材４１Ｃが用意されている。作動部材３０の所定方向へのスライドに伴って、上側、下側及び中央の鉤部材４１Ａ，４１Ｂ，４１Ｃは、それぞれ前記上側受け金具１１ａ、下側受け金具１１ｂ及び中央受け金具１１ｃに対して係合及び離脱する。これら三つの鉤部材（４１Ａ〜４１Ｃ）は部品として共通化されており、その共通部品としての鉤部材は図７（Ａ）及び（Ｂ）に示すような形状をなしている。即ち、鉤部材（４１Ａ〜４１Ｃ）の先端部４２（図７では上端部）は、受け金具に対し係合可能な形状に形成されている。また、鉤部材の基端部（図７では下端部）の正面側側面には、後述するコイルバネ４４の一端部を引っ掛けるためのフック部４３が突設され、鉤部材の基端部の背面側側面には、係合凸部としての係合ピン４５が突設されている。係合ピン４５は、軸部４５ａと、その軸部よりも大径な頭部４５ｂとを有している。
【００３７】
図３に示すように、作動部材３０の上下両端部付近には、上側鉤部材４１Ａと下側鉤部材４１Ｂとが枠体の第２取付け板２３に沿ってスライド可能に設けられている。上側の鉤部材４１Ａに着目して更に詳しく説明すると、図５に示すように、上側鉤部材４１Ａの背面側側面に突設された係合ピン４５の軸部４５ａが、第２取付け板２３に形成されたガイド溝２４Ａ内に係入されている。ガイド溝２４Ａは、枠体２１の長手方向に沿って延びている。ガイド溝２４Ａの幅（高さ）は係合ピン軸部４５ａの径にほぼ等しく設定されており、軸部４５ａよりも大径の係合ピン頭部４５ｂが第２取付け板２３の一側面に接触摺動する。このため、上側鉤部材４１Ａは、第２取付け板２３に対し平行状態を保ちながら前記ガイド溝２４Ａの範囲内でスライド可能となっている。
【００３８】
図４及び図５に示すように、上側鉤部材４１Ａの正面側側面に突設されたフック部４３と、枠体の第１取付け板２２に突設されたフック部２５Ａとの間には、付勢手段たるコイルバネ４４が張設されている。このコイルバネ４４は、上側鉤部材４１Ａ及びその係合ピン４５を枠体２１の上端に向けて常時付勢するが、係合ピンの軸部４５ａがガイド溝２４Ａの上端部（図５では右端部）に当接することで上側鉤部材４１Ａのそれ以上の上動が規制される。これにより、上側鉤部材４１Ａが上側受け金具１１ａと係合する施錠位置（図４の実線位置）に位置決めされる。
【００３９】
また、第２取付け板２３と上側鉤部材４１Ａとの間には、作動部材３０の上端部が進入配置されている。その作動部材３０の上端部には係合ピンの軸部４５ａを収容する逃げ溝３１Ａが形成されており、通常時（上側鉤部材４１Ａが施錠位置にあるとき）には、係合ピン４５は逃げ溝３１Ａの上端部（図５では右端部）に位置する。作動部材３０を図５の待機位置から所定量下動（図５では左移動）させた場合（図６（Ｂ）参照）には、係合ピン４５と逃げ溝３１Ａの上端部との係合関係に基づき、コイルバネ４４の弾性に抗して作動部材３０と共に上側鉤部材４１Ａが下向きにスライドする。それに伴い上側鉤部材４１Ａは上側受け金具１１ａから離脱し、施錠位置（図４の実線位置）から解錠位置（図４の仮想線位置）に切替え配置される。他方、作動部材３０を図５の待機位置から所定量上動（図５では右移動）させた場合（図６（Ａ）参照）、作動部材３０の長手方向に延びる逃げ溝３１Ａの逃し効果により、作動部材３０の上動が係合ピン４５によって阻害されることはなく、又、作動部材３０の上動によって上側鉤部材４１Ａと上側受け金具１１ａとの係合関係が解除されることもない。
【００４０】
なお、下側鉤部材４１Ｂ及びその周辺の構造も、上側鉤部材４１Ａ及びその周辺とほぼ同様の構造となっており、作動部材３０のスライドに伴い下側鉤部材４１Ｂも上側鉤部材４１Ａと同様に作動する。
【００４１】
図３及び図８に示すように、作動部材３０の長手方向中央部には、中央受け金具１１ｃと係合可能な中央鉤部材４１Ｃが枠体の第２取付け板２３に沿ってスライド可能に配設されている。即ち図８（Ｂ）及び図９（Ａ）に示すように、中央鉤部材４１Ｃの背面側側面に突設された係合ピンの軸部４５ａが、第２取付け板２３に形成された支持用凹部としてのガイド溝２４Ｃ内に係入保持されている。ガイド溝２４Ｃは、枠体２１の長手方向に沿って延びている。ガイド溝２４Ｃの幅（高さ）は係合ピン軸部４５ａの径にほぼ等しく設定されており、軸部よりも大径の係合ピン頭部４５ｂが第２取付け板２３の一側面に接触摺動する。つまりガイド溝２４Ｃは、係合ピン軸部４５ａの収容を許容するが係合ピン頭部４５ｂの通過を許容しないような幅に設定されている。このため、中央鉤部材４１Ｃは第２取付け板２３に対し平行状態を保ちながら、少なくとも前記ガイド溝２４Ｃの範囲内でスライド可能となっている。
【００４２】
図８（Ａ）及び図９（Ａ）に示すように、中央鉤部材４１Ｃの正面側側面に突設されたフック部４３と、枠体の第１取付け板２２に突設されたフック部２５Ｃとの間には、付勢手段たるコイルバネ４４が張設されている。このコイルバネ４４は、中央鉤部材４１Ｃ及びその係合ピン４５を枠体２１の上端に向けて常時付勢するが、係合ピンの軸部４５ａがガイド溝２４Ｃの上端部（図９（Ａ）では右端部）に当接することで中央鉤部材４１Ｃのそれ以上の上動が規制される。これにより、中央鉤部材４１Ｃが中央受け金具１１ｃと係合する施錠位置（図８の実線位置）に位置決めされる。
【００４３】
また、第２取付け板２３と中央鉤部材４１Ｃとの間には、作動部材３０が配置されている。その作動部材３０には係合ピンの軸部４５ａを収容する逃げ溝３１Ｃが形成されており、通常時（中央鉤部材４１Ｃが施錠位置にあるとき）には、係合ピン４５は逃げ溝３１Ｃの上端部（図では右端部）に位置する（図９（Ａ）参照）。作動部材３０を図９（Ａ）の待機位置から所定量下動（図では左移動）させた場合（図９（Ｂ）参照）には、係合ピン４５と逃げ溝３１Ｃの上端部との係合関係に基づき、コイルバネ４４の弾性に抗して作動部材３０と共に中央鉤部材４１Ｃが下向きにスライドする。それに伴い中央鉤部材４１Ｃは中央受け金具１１ｃから離脱し、施錠位置（図８の実線位置）から解錠位置（図８の仮想線位置）に切替え配置される。他方、作動部材３０を図９（Ａ）の待機位置から所定量上動させたとしても、作動部材３０の長手方向に延びる逃げ溝３１Ｃの逃し効果により、作動部材３０の上動が係合ピン４５によって阻害されることはなく、又、作動部材３０の上動によって中央鉤部材４１Ｃと中央受け金具１１ｃとの係合関係が解除されることもない。
【００４４】
なお、係合ピン軸部４５ａが逃げ溝３１Ｃ及びガイド溝２４Ｃ内にあるとき、係合ピン頭部４５ｂの存在により、これらの溝から係合ピン４５は離脱不能となり、中央鉤部材４１Ｃが枠体１２に対して安定支持されると共に、中央鉤部材４１Ｃと作動部材３０との作動連結が確実となる。
【００４５】
更に図８（Ｂ）及び図９に示すように、枠体の第２取付け板２３には、中央鉤部材４１Ｃ用のガイド溝２４Ｃの端部に隣接して、着脱用開口部としての挿通孔２８が貫通形成されている。ガイド溝２４Ｃの幅（高さ）が係合ピン軸部４５ａの直径相当であったのに対し、略円形状の挿通孔２８の内径は係合ピン頭部４５ｂの外径よりも若干大きく設定されており、この挿通孔２８に対して係合ピンの頭部４５ｂが挿通自在（即ち抜き差し可能）となっている。つまり、枠体の第２取付け板２３の略中央部には、相対的に幅狭のガイド溝２４Ｃ及び相対的に大径の挿通孔２８が相互に連通した状態で連続形成されている。なお、図９（Ａ）〜（Ｃ）に示すように、中央鉤部材４１Ｃと第２取付け板２３との間に介在する作動部材３０にも、その逃げ溝３１Ｃの端部に隣接する挿通孔３６が貫通形成されている。作動部材３０の逃げ溝３１Ｃが枠体のガイド溝２４Ｃに対応しているのと同様に、作動部材３０の挿通孔３６と枠体の挿通孔２８とは対応関係にある。そして、作動部材３０の挿通孔３６の内径は係合ピン頭部４５ｂの外径よりも若干大きく設定されており、この挿通孔３６に対して係合ピンの頭部４５ｂが挿通自在（即ち抜き差し可能）となっている。
【００４６】
上記枠体２１の挿通孔２８及び作動部材３０の挿通孔３６は、枠体のガイド溝２４Ｃ内に鉤部材４１Ｃをスライド可能に装着する際、および必要に応じて枠体のガイド溝２４Ｃから鉤部材４１Ｃを取り外す際の着脱用開口部としての役割を担う。つまり枠体２１にあっては、その長手方向に延びる支持用凹部としてのガイド溝２４Ｃと、そのガイド溝に連通する着脱用開口部としての挿通孔２８により、中央鉤部材４１Ｃを取り外し可能な状態で支持するための支承部が構成される。
【００４７】
上記三つの鉤部材４１Ａ，４１Ｂ及び４１Ｃと作動部材３０との間の作動関係についてまとめると、作動部材３０が待機位置から上動する場合には、三つの鉤部材４１Ａ，４１Ｂ及び４１Ｃは作動部材３０の上動を無条件に許容すると共に作動部材３０の上動に影響されて施錠状態を解除することはない。これに対し、作動部材３０が待機位置から下動する場合には、三つの鉤部材４１Ａ，４１Ｂ及び４１Ｃは作動部材３０の動きに追従して施錠位置から解錠位置にスライド変位し、それぞれ対応する受け金具１１ａ，１１ｂ及び１１ｃとの係合関係を同時に解除する。即ち、逃げ溝３１Ａ，３１Ｃを有する作動部材３０や各逃げ溝内に係入される係合ピン４５等により、シリンダ錠５０から各鉤部材に対して一方向的な動作伝達を可能とする作動機構が構成される。
【００４８】
図３に示すように、枠体２１の略中央部及び下端部並びに作動部材３０の略中央部及び下端部には、ガラス枠１３の施錠又は解錠に関与する一対のガラス枠用係合機構３３，３３が設けられている。各ガラス枠用係合機構３３は、作動部材３０の一側面に突設されたガイドピンを係入するためのガイド溝（兼逃げ溝）が形成された摺動体３３ａと、その摺動体３３ａを下向き方向に付勢するコイルバネ３３ｂとを少なくとも具備している。ガラス枠用係合部としての摺動体３３ａは、前面枠１２及び／又はガラス枠１３に設けられたガラス枠１３を施錠又は解錠するための機構（周知ゆえ説明を省略）と、作動部材３０とを機械的に連動させるための部材であり、作動部材３０の上下動に伴う摺動体３３ａの位置変化に応じて、ガラス枠１３の施錠又は解錠の状態が切り替わる。
【００４９】
また、前記ガラス枠用係合機構３３は、作動部材３０を選択的に付勢するための選択的付勢機構としての働きも兼ねている。即ち、各ガラス枠用係合機構（選択的付勢機構）３３は、作動部材３０が下動する場合には作動部材３０に対し何の影響も及ぼさず作動部材３０の下動を無条件に許容するが、作動部材３０が上動する場合には、作動部材３０を元位置（待機位置）に復帰させる方向（図３の左方向）への付勢作用を及ぼすという働きをする。
【００５０】
尚、専用鍵Ｋでシリンダ錠５０が操作されないとき（通常時）に、作動部材３０が図３及び図５に示す待機位置に安定的に保持されるのは、作動部材３０が、主として鉤部材４１Ａ，４１Ｂ及び４１Ｃ並びに一対のガラス枠用係合機構３３，３３に対し都合５本の係合ピンを介して係合することで、作動部材３０の待機位置が一義的に決定されることによるものである。そして、作動部材３０に外力を及ぼして作動部材３０を待機位置から上動させようとすると、一対のガラス枠用係合機構（選択的付勢機構）３３，３３に属する二つのコイルバネ３３ｂが作動部材３０を元位置（待機位置）に戻そうとする。他方、作動部材３０を待機位置から下動させようとすると、鉤部材４１Ａ，４１Ｂ及び４１Ｃに割り当てられた三つのコイルバネ４４が作動部材３０を元位置（待機位置）に戻そうとする。
【００５１】
図４及び図５に示すように、枠体２１の上端寄り位置において枠体の第１取付け板２２には、シリンダ錠５０が設けられている。特に図４に示すように、第１取付け板２２には、シリンダ錠用の一対の取付支持部２６，２６が所定間隔を隔てて突設されている。また、シリンダ錠５０の背面側（鍵穴と反対側）には取付フランジ５１が一体化されている。この取付フランジ５１を前記一対の取付支持部２６，２６に載せてからネジ２７で各取付支持部２６に固定することにより、シリンダ錠５０が枠体２１に対して固着されている。
【００５２】
シリンダ錠５０の背面側に突出した錠軸５０ａには、カム５２が一体回動可能に取付けられている。特に図５に示すように、カム５２は、第１腕部５４及び第２腕部５５を有しており、錠軸５０ａを中心とした両腕部５４，５５間の角度は約８０度に設定されている。他方、作動部材３０には、カムの第１腕部５４と係合可能な第１係合溝３４及びカムの第２腕部５５と係合可能な第２係合溝３５が形成されている。専用鍵Ｋによるシリンダ錠５０の操作に応じて、カム５２は、時計方向（図６（Ａ）参照）又は反時計方向（図６（Ｂ）参照）に回動する。カム５２が所定方向に所定量回動すると、第１腕部５４又は第２腕部５５がそれぞれ対応する第１係合溝３４又は第２係合溝３５に進入すると共に、進入した溝の一端部に係合して作動部材３０を特定方向に押して移動させる。
【００５３】
次に、施錠装置２０の作用等について説明する。前面枠１２及びガラス枠１３が完全に閉じられると共にシリンダ錠５０の鍵穴に対して専用鍵Ｋが差し込まれていない施錠状態においては、作動部材３０もカム５２も図５及び図９（Ａ）に示す待機位置に配置される。この状態では、３つの鉤部材４１Ａ，４１Ｂ及び４１Ｃがそれぞれ対応する受け金具１１ａ，１１ｂ及び１１ｃと係合して前面枠１２が開放不能になると共に、ガラス枠用係合部としての摺動体３３ａ，３３ａが施錠位置に配置されてガラス枠１３も開放不能となっている。
【００５４】
上記の施錠状態からガラス枠１３を解錠したい場合には、シリンダ錠５０の鍵穴に専用鍵Ｋを差し込み、その専用鍵Ｋをパチンコ機１０の正面（図１参照）から見て左方向（反時計方向）に回動する。すると図６（Ａ）に示すように、カム５２が時計方向に回動して、カムの第２腕部５５が作動部材の第２係合溝３５に進入すると共に第２係合溝３５の上端部（図６では右端部）に当接する。更にカム５２が時計方向に回動されるに従い、第２腕部５５によって作動部材３０が押されながら上方向（図６では右方向）に移動する。図６（Ａ）はカム５２を時計方向に約４０度回動した状態を示す。カム５２を時計方向に約４０度回動することで、作動部材３０が所定距離だけ上動し、それに伴いガラス枠用係合部としての摺動体３３ａ，３３ａも同じ距離だけ上方に変位してガラス枠１３が解錠される。ガラス枠１３が解錠された時点で鍵Ｋを操作する手の力を緩めると、作動部材３０の上動時に蓄力された機構３３のコイルバネ３３ａのバネ力により、作動部材３０が元位置（待機位置）に強制復帰される。これに伴い、カム５２も待機位置付近にまで復帰回動される。
【００５５】
上記の施錠状態から前面枠１２を解錠したい場合には、シリンダ錠５０の鍵穴に専用鍵Ｋを差し込み、その専用鍵Ｋをパチンコ機１０の正面（図１参照）から見て右方向（時計方向）に回動する。すると図６（Ｂ）に示すように、カム５２が反時計方向に回動して、カムの第１腕部５４が作動部材の第１係合溝３４に進入すると共に第１係合溝３４の下端部（図６では左端部）に当接する。更にカム５２が反時計方向に回動されるに従い、第１腕部５４によって作動部材３０が押されながら下方向（図６では左方向）に移動する。作動部材３０の下動に伴い、逃げ溝３１Ａの端部によって係合ピン４５と一緒に上側鉤部材４１Ａが押し下げられ、同じく下側鉤部材４１Ｂも押し下げられると共に、逃げ溝３１Ｃの端部によって係合ピン４５と一緒に中央鉤部材４１Ｃが押し下げられる。その結果、上中下三つの鉤部材４１Ａ〜４１Ｃが同時に、施錠位置から解錠位置に向けてスライドする。
【００５６】
図６（Ｂ）及び図９（Ｂ）はカム５２を反時計方向に約４０度回動した状態を示す。カム５２を反時計方向に約４０度回動することで、作動部材３０が所定距離だけ下動し、それに伴い三つの鉤部材４１Ａ〜４１Ｃも同じ距離だけ下方にスライド変位して、それぞれ対応する受け金具１１ａ〜１１ｃとの係合が解除される。このように専用鍵Ｋを用いた解錠操作に基づく作動部材３０の下動により、三つの鉤部材４１Ａ，４１Ｂ及び４１Ｃが施錠位置から解錠位置へ同時に切替えられて、前面枠１２が解錠される。尚、中央鉤部材４１Ｃが施錠位置（図９（Ａ）参照）から解錠位置（図９（Ｂ）参照）へ切替えられたときも、係合ピンの軸部４５ａはガイド溝２４Ｃの左端域にとどまり、挿通孔２８内には到達しない。前面枠１２が解錠された時点で鍵Ｋを操作する手の力を緩めると、作動部材３０の下動時に蓄力された三つの鉤部材４１Ａ〜４１Ｃ用のコイルバネ４４のバネ力により、作動部材３０が元位置（待機位置）に強制復帰される。これに伴い、カム５２も待機位置付近にまで復帰回動される。
【００５７】
ところで、施錠装置２０の枠体２１から中央鉤部材４１Ｃを取り外したい場合には、まず作動部材３０及び中央鉤部材４１Ｃが図９（Ａ）に示す待機状態（＝施錠状態）にあるときに、コイルバネ４４を中央鉤部材４１Ｃのフック部４３及び枠体２１のフック部２５Ｃから取り外し、コイルバネ４４による中央鉤部材４１Ｃのスライド制限を解除する。作動部材３０が待機位置にあるときには、枠体のガイド溝２４Ｃと作動部材の逃げ溝３１Ｃとが横から見て一致すると共に、枠体の挿通孔２８と作動部材の挿通孔３６も一致する。それ故、コイルバネ４４の取り外しにより、図９（Ｃ）に示すように、中央鉤部材４１Ｃの係合ピン軸部４５ａがガイド溝２４Ｃの範囲を超えて挿通孔２８内に進入できる。そして、両挿通孔２８，３６を係合ピンの頭部４５ｂに通り抜けさせることで、枠体２１及び作動部材３０から中央鉤部材４１Ｃが取り外される。
【００５８】
逆に、枠体２１の支承部（２４Ｃ，２８）に対し中央鉤部材４１Ｃを取り付けたい場合には、上記取り外し手順の逆をたどればよい。即ち、作動部材３０が図９（Ｃ）に示す待機位置にあるときに、位置が一致した両挿通孔２８，３６内に中央鉤部材４１Ｃの係合ピンの頭部４５ｂ及び軸部４５ａを挿入し、その中央鉤部材４１Ｃを、両挿通孔２８，３６にそれぞれ連通するガイド溝２４Ｃ及び逃げ溝３１Ｃ内に進入させる。その後、中央鉤部材４１Ｃのフック部４３及び枠体２１のフック部２５Ｃに対してコイルバネ４４の両端部を引っ掛けることにより、枠体２１の支承部（２４Ｃ，２８）に対する中央鉤部材４１Ｃの取り付けが完了する。コイルバネ４４の取付けにより、中央鉤部材４１Ｃのスライド可能範囲がガイド溝２４Ｃの範囲に限定される。
【００５９】
このように本実施形態によれば、枠体２１に形成された支承部（２４Ｃ，２８）には、前面枠１２の施錠及び解錠に関与する三つの鉤部材のうちの中央鉤部材４１Ｃが取り外し可能な状態で支持される。故に、その中央鉤部材４１Ｃを必要に応じて着脱することができ、鉤部材の数を二つ又は三つに自由に変更することができる。このため、一つの基本設計に基づいて効率的に部品の共通化を図りながら、鉤部材の数が異なる二種類の施錠装置を供給でき、従来以上に製造コストの削減や生産性の向上を図ることができる。加えて、遊技機の組立てや製品検査の際に作業の邪魔になることがある中央鉤部材４１Ｃを一時的に取り外すことができ、遊技機の組立てや製品検査の作業能率を向上させることができる。
【００６０】
また本実施形態によれば、枠体２１の支承部（２４Ｃ，２８）に支持される中央鉤部材４１Ｃの施錠位置を、着脱用開口部としての挿入孔２８から最も離れたガイド溝２４Ｃの一端部に設定すると共に、コイルバネ４４によって中央鉤部材４１Ｃを解錠位置から施錠位置に向けて常時付勢することにより、中央鉤部材４１Ｃの解錠位置を、挿入孔２８との境界に近いガイド溝２４Ｃの他端部付近に設定している。このため、専用鍵Ｋによりシリンダ錠５０が操作されるときも、それに伴う中央鉤部材４１Ｃの施錠位置と解錠位置との間のスライドはガイド溝２４Ｃの範囲内にとどめられ、中央鉤部材４１Ｃが不意に挿入孔２８に到達することがない。このため、コイルバネ４４を用いて中央鉤部材４１Ｃを枠体２１の支承部に装着する限り、中央鉤部材４１Ｃが意に反して枠体２１から脱落することを防止できる。
【００６１】
（変更例）
本発明の実施形態を以下のように変更してもよい。
【００６２】
・上記実施形態では、三つある鉤部材のうちの中央鉤部材４１Ｃだけを、枠体２１に対し取り外し可能な状態で支持したが、上側鉤部材４１Ａ及び／又は下側鉤部材４１Ｂについても、中央鉤部材４１Ｃ用の支承部（２４Ｃ，２８）と同様の支承部を枠体２１に設けて、取り外し可能な状態で支持してもよい。
【００６３】
・上記実施形態では前面枠１２の施錠に関与する鉤部材の数を三つとしたが、鉤部材の数を二つ又は四つ以上の複数としてもよい。また、本発明をパチンコ機以外の遊技機（例えばスロットマシンや、パチンコ機とスロットマシンとの融合機）に適用してもよい。
【００６４】
【発明の効果】
以上詳述したように本発明の遊技機によれば、施錠装置の不正解錠対策を施した遊技機を提供することができる。
【図面の簡単な説明】
【図１】遊技機としてのパチンコ機の概略正面図。
【図２】遊技機としてのパチンコ機の概略右側面図。
【図３】施錠装置（横倒し状態）の正面図。
【図４】施錠装置のシリンダ錠付近を拡大して示す部分正面図。
【図５】施錠装置のシリンダ錠付近を拡大して示す部分平面図。
【図６】施錠装置の解錠操作時の動作を示す図５相当の図であって、（Ａ）はガラス枠解錠時の部分平面図、（Ｂ）は前面枠解錠時の部分平面図。
【図７】（Ａ）は鉤部材の背面側側面図、（Ｂ）は同鉤部材の一端面図。
【図８】施錠装置の中央鉤部材付近を拡大して示し、（Ａ）はその部分正面図、（Ｂ）は部分背面図。
【図９】施錠装置の中央鉤部材付近を上方から見た場合の部分図であって、（Ａ）は前面枠施錠時の部分断面図、（Ｂ）は前面枠解錠時の部分断面図、（Ｃ）は中央鉤部材の着脱操作時の部分断面図。
【符号の説明】
１０…パチンコ機（遊技機）、１１ａ，１１ｂ，１１ｃ…受け金具（被係止部）、１２…前面枠（開閉部材）、２０…施錠装置、２１…枠体、２４Ｃ…ガイド溝（支持用凹部）、２８…着脱用開口部としての挿通孔（２４Ｃ及び２８は支承部を構成する）、３０…作動部材、３１Ｃ…作動部材の逃げ溝（溝）、３６…作動部材の挿通孔（孔）、４１Ａ…上側鉤部材、４１Ｂ…下側鉤部材、４１Ｃ…中央鉤部材（支承部に支持される鉤部材）、４４…コイルバネ（付勢手段）、４５…係合ピン（係合凸部）、４５ａ…軸部、４５ｂ…頭部、５０…シリンダ錠（錠）、Ｋ…シリンダ錠の専用鍵。
【図１】
0004253722.tif 000002
【図２】
0004253722.tif 000003
【図３】
0004253722.tif 000004
【図４】
0004253722.tif 000005
【図５】
0004253722.tif 000006
【図６】
0004253722.tif 000007
【図７】
0004253722.tif 000008
【図８】
0004253722.tif 000009
【図９】
0004253722.tif 000010